(57)【要約】【課題】玉状に成形された固形肥料を効率良く正確に少ないコストで育成ポットに投入できるようにする。【解決手段】肥料投入器１は投入する固形肥料Ａを収容する収容トレイ７と、収容トレイ７の底部上面に着脱自在に取り付けられる選別プレート９と、収容トレイ７の底部下面にスライド自在に取り付けられる可動プレート１１と、可動プレート１１の可動ストロークを設定するストッパ１３と、可動プレート１１を所定の方向に付勢する付勢手段とを備え、上記選別プレート９には複数の開口３５が形成されており、一方、可動プレート１１には上記開口３５と対応する投入口２７が形成されていて、可動プレート１１を所定の方向に移動させることによって上記開口３５を投入口２７に一致させて固形肥料Ａを投入し得るようにした。【選択図】        図１
2008161078.tif 000002
【特許請求の範囲】
【請求項１】
玉状に成形された固形肥料を整列された複数の育成ポット内に一挙に投入することのできる肥料投入器において、
前記肥料投入器は投入する固形肥料を収容する収容トレイと、収容トレイの底部上面に着脱自在に取り付けられる選別プレートと、前記収容トレイの底部下面にスライド自在に取り付けられる可動プレートと、可動プレートの可動ストロークを設定するストッパと、可動プレートを所定の方向に付勢する付勢手段とを備え、
前記選別プレートには前記整列された複数の育成ポットの配置に対応した複数の開口が予め形成されており、一方、可動プレートには前記開口と対応する複数の投入口が予め形成されていて、前記可動プレートを前記付勢手段の不勢力に抗して所定の方向に移動させることによって前記開口に投入口の位置を一致させて下方にセットされている複数の育成ポット内に固形肥料を一挙に投入し得るようにしたことを特徴とする肥料投入器。
【請求項２】
請求項１に記載した肥料投入器において、前記選別プレートには固形肥料を１個ずつ収容できる大きさの開口が育成ポット毎に、所定の個数ずつ配設されており、一方、可動プレートには前記開口と対応する位置に投入口が配設されていて、前記可動プレートを所定の方向に移動させることによって各育成ポット内に複数個の固形肥料を同時に投入し得るようにしたことを特徴とする肥料投入器。
【請求項３】
請求項１に記載した肥料投入器において、前記選別プレートには固形肥料を一度に複数個収容できる大きさの開口が、育成ポット毎に１個ずつ配設されており、一方、可動プレートには前記開口と対応する位置に同一の大きさの投入口が配設されていて、前記可動プレートを所定の方向に移動させることによって各育成ポット内に複数個の固形肥料を同時に投入し得るようにしたことを特徴とする肥料投入器。
【請求項４】
請求項１〜３のいずれかに記載した肥料投入器において、前記可動プレートには異なるサイズないし異なる整列状態の複数種の育成ポットに対応した複数組の投入口が予め形成されており、一方、前記複数種の育成ポットに個別に対応する開口が予め形成されている複数枚の選別プレートが用意されており、これらの選別プレートを適宜付け替えることによって複数種の育成ポットに対応できるようにしたことを特徴とする肥料投入器。
【請求項５】
請求項１〜４のいずれかに記載した肥料投入器において、前記収容トレイには前記開口が形成された収容スペースと、前記収容スペースと連通し、収容スペースよりも一段低い位置に設けられる退避スペースとが設けられていることを特徴とする肥料投入器。
【請求項６】
請求項１〜５のいずれかに記載した肥料投入器において、前記収容トレイ、選別プレート及び可動プレートは透明な材料によって形成されていることを特徴とする肥料投入器。
【請求項７】
請求項１〜６のいずれかに記載した肥料投入器において、前記可動プレートはシャッター機構を介して前記収容トレイと接続されており、当該シャッター機構は可動プレートと収容トレイとの間に設けられ、可動プレートを左右方向にスライドし得るように保持するスライド機構と、収容トレイの一方の側板に対して外方に突出するように設けられ、可動プレートの一方の端縁から立ち上げられた対面板の内壁面に当接することで可動プレートの投入位置を設定するストッパと、前記側板と対面板との間に縮設され、可動プレートが常時外方に突出するように付勢する付勢手段とを備えていることを特徴とする肥料投入器。
【発明の詳細な説明】
【技術分野】
【０００１】
本発明は、玉状に成形された固形肥料を整列された複数の育成ポット内に一挙に投入することのできる肥料投入器に関するものである。
【背景技術】
【０００２】
例えば花卉等の生産農家や花卉等の苗の育成を専門に行う育苗センターあるいは種苗会社等では、ポットと呼ばれる軟質の合成樹脂容器に土や肥料、そして花卉等の種苗を入れ、所定の大きさになるまで育てることが一般に行われている。
この場合、最も基本的にはすべての作業を手作業によって行うことになるが、育成ポットの数が多数になるとその手間は膨大になってしまう。
【０００３】
一方、肥料に着目すると、近時の造粒技術の発達に伴って、玉状に成形された固形肥料が広く使用されるようになっている。しかし玉状といっても大きさや形状にはばら付きがあるため、自動化することは困難であった。従って作業者は固形肥料を指先で摘んで１つの育成ポットに２個ずつ、３個ずつというように入れて行くか、ガンタイプの投入器を使用して同じく１つの育成ポットに所定の数量ずつ投入して行くというような効率の悪い投入形態を採っていた。
また育成ポットのサイズによって投入する固形肥料の数が変わるため、育成ポットのサイズや育成ポットの整列状態の違いも固形肥料の投入の自動化を困難にしていた要因になっていた。
【発明の開示】
【発明が解決しようとする課題】
【０００４】
本発明は上記背景技術が抱えていた問題点の存在を踏まえてなされたものであって、玉状に成形された固形肥料を効率良く正確に少ないコストで育成ポット内に投入することができる肥料投入器を提供することを解決しようとする課題とする。
【課題を解決するための手段】
【０００５】
上記課題を解決するために、請求項１に記載した発明は、玉状に成形された固形肥料を整列された複数の育成ポット内に一挙に投入することのできる肥料投入器において、前記肥料投入器は投入する固形肥料を収容する収容トレイと、収容トレイの底部上面に着脱自在に取り付けられる選別プレートと、前記収容トレイの底部下面にスライド自在に取り付けられる可動プレートと、可動プレートの可動ストロークを設定するストッパと、可動プレートを所定の方向に付勢する付勢手段とを備え、前記選別プレートには前記整列された複数の育成ポットの配置に対応した複数の開口が予め形成されており、一方、可動プレートには前記開口と対応する複数の投入口が予め形成されていて、前記可動プレートを前記付勢手段の不勢力に抗して所定の方向に移動させることによって前記開口に投入口の位置を一致させて下方にセットされている複数の育成ポット内に固形肥料を一挙に投入し得るようにしたことを特徴とする肥料投入器である。
【０００６】
請求項２に記載した発明は、請求項１に記載した肥料投入器において、前記選別プレートには固形肥料を１個ずつ収容できる大きさの開口が育成ポット毎に、所定の個数ずつ配設されており、一方、可動プレートには前記開口と対応する位置に投入口が配設されていて、前記可動プレートを所定の方向に移動させることによって各育成ポット内に複数個の固形肥料を同時に投入し得るようにしたことを特徴とする肥料投入器である。
【０００７】
請求項３に記載した発明は、請求項１に記載した肥料投入器において、前記選別プレートには固形肥料を一度に複数個収容できる大きさの開口が、育成ポット毎に１個ずつ配設されており、一方、可動プレートには前記開口と対応する位置に同一の大きさの投入口が配設されていて、前記可動プレートを所定の方向に移動させることによって各育成ポット内に複数個の固形肥料を同時に投入し得るようにしたことを特徴とする肥料投入器である。
【０００８】
請求項４に記載した発明は、請求項１〜３のいずれかに記載した肥料投入器において、前記可動プレートには異なるサイズないし異なる整列状態の複数種の育成ポットに対応した複数組の投入口が予め形成されており、一方、前記複数種の育成ポットに個別に対応する開口が予め形成されている複数枚の選別プレートが用意されており、これらの選別プレートを適宜付け替えることによって複数種の育成ポットに対応できるようにしたことを特徴とする肥料投入器である。
【０００９】
請求項５に記載した発明は、請求項１〜４のいずれかに記載した肥料投入器において、前記収容トレイには前記開口が形成された収容スペースと、前記収容スペースと連通し、収容スペースよりも一段低い位置に設けられる退避スペースとが設けられていることを特徴とする肥料投入器である。
【００１０】
請求項６に記載した発明は、請求項１〜５のいずれかに記載した肥料投入器において、前記収容トレイ、選別プレート及び可動プレートは透明な材料によって形成されていることを特徴とする肥料投入器である。
【００１１】
請求項７に記載した発明は、請求項１〜６のいずれかに記載した肥料投入器において、前記可動プレートはシャッター機構を介して前記収容トレイと接続されており、当該シャッター機構は可動プレートと収容トレイとの間に設けられ、可動プレートを左右方向にスライドし得るように保持するスライド機構と、収容トレイの一方の側板に対して外方に突出するように設けられ、可動プレートの一方の端縁から立ち上げられた対面板の内壁面に当接することで可動プレートの投入位置を設定するストッパと、前記側板と対面板との間に縮設され、可動プレートが常時外方に突出するように付勢する付勢手段とを備えていることを特徴とする肥料投入器である。
【発明の効果】
【００１２】
本発明の肥料投入器によれば、従来１ポットずつ固形肥料を数えて個別に投入していた固形肥料の投入作業を複数ポットまとめて一挙に行うことができるようになる。従って固形肥料の投入作業が容易になり、作業効率の向上を図ることができる。
また開口の数、配置ないし大きさを適宜調整することによって１つの育成ポットに複数個の固形肥料を同時に投入することが可能になる。
可動プレートに複数種の育成ポットに対応した複数組の投入口を予め形成しておき、一方、複数種の育成ポットに個別に対応する複数枚の選別プレートを選択して使用するようにした場合には、収容トレイや可動プレート等の構成はそのままで、選別プレートのみを付け替えるだけでサイズや整列状態の違う複数種の育成ポットに対応できるようになる。従って肥料投入器の適用範囲が拡がり、部品点数及び製品コストの削減を図ることができる。
【００１３】
また収容スペースより一段低い位置に退避スペースを設けた場合には収容トレイを退避スペース側に傾けることによって余分な固形肥料を退避スペース側に簡単に移動できるようになる。逆に退避スペース側に位置している固形肥料については上記段差によって収容スペース側への移動が規制されることになる。
収容トレイ、選別プレート及び可動プレートを透明な材料によって形成した場合には下方の育成ポットの位置が上方から視認できるため肥料投入器の位置合わせと固形肥料の投入状態の確認が容易になる。
可動プレートをシャッター機構を介して収容トレイに取り付けた場合には可動プレートの動きが円滑になり、固形肥料の投入と投入停止の切り替えを簡単、確実に実行できるようになる。
【発明を実施するための最良の形態】
【００１４】
以下、本発明の肥料投入器を実施するための最良の形態として図示の実施の形態を例に採って具体的に説明する。
肥料投入器１は整列ラック３に収容されることによって整列配置されている複数の育成ポット５に対して、玉状に成形された固形肥料Ａを所定の個数ずつ一挙に投入することのできる肥料投入用の器具である。
具体的には、投入する固形肥料Ａを収容する収容トレイ７と、収容トレイ７の底部上面に着脱自在に取り付けられる選別プレート９と、上記収容トレイ７の底部下面にスライド自在に取り付けられる可動プレート１１と、可動プレート１１の可動ストロークを設定するストッパ１３と、可動プレート１１を所定の方向に付勢する付勢手段としての圧縮コイルバネ１５とを備えることによって肥料投入器１は構成されている。
【００１５】
収容トレイ７は透明なプラスチック材料によって形成された浅底容器状の部材であり、左右の側板１７、１９と、前面板２１及び後面板２３と、これらによって区画された底面を閉塞する底面板２５とを備えている。
このうち底面板２５には可動プレート１１に対して形成されている後述する投入口２７と同じ大きさで、同じ配置の連通口２９が多数形成されている。また底面板２５の四隅のコーナー部にはネジ孔３１が刻設されており、固定ボルト３３を使用して当該底面板２５の上面に選別プレート９を着脱自在に取り付けることができるようになっている。
【００１６】
選別プレート９は収容トレイ７と同様、透明なプラスチック材料によって形成されている矩形平板状の部材である。そして選別プレート９には整列された複数の育成ポット５の配置に対応した複数の開口３５が予め形成されている。
本実施の形態で使用する育成ポット５は図５（ａ）に示す横に５つ、縦に４つの計２０個の育成ポット５が整列配置されており、これらの育成ポット５のサイズは３個ずつの固形肥料Ａを投入するのに適した大きさになっている。
また本実施の形態では１つの開口３５には１個ずつ固形肥料Ａが収容できるように開口３５の大きさが設定されており、各育成ポット５に対してそれぞれ３個ずつの固形肥料Ａが投入されるように開口３５が配設されている。
【００１７】
そして収容トレイ７にはこのような選別プレート９が取り付けられる収容スペース３７と、当該収容スペース３７と連通し、選別プレート９の肉厚分、収容スペース３７よりも一段低い位置に設けられる退避スペース３９とが設けられている。
退避スペース３９には連通口２９や開口３５は設けられておらず、開口部のない平坦なスペースが形成されている。また上記選別プレート９に対して設けられている開口３５と一致する位置に上記連通口２９が設けられている他、上記開口３５と一致しない位置にも連通口２９は設けられている。
【００１８】
本実施の形態では図５（ｂ）に示すように横に６つ、縦に４つの計２４個、整列配置され、１つの育成ポット５に対して２個ずつの固形肥料Ａが投入される図５（ａ）に示す育成ポット５よりも一回り小さなサイズの育成ポット５にも対応できるようになっている。
具体的には本実施の形態では図６、７に示す各育成ポット５に対して３個ずつの固形肥料Ａを投入することができる３個ずつの開口３５が一組になった選別プレート９の他に、図８、９に示すように各育成ポット５に対して２個ずつの固形肥料Ａを投入することができる２個ずつの開口３５が一組になった他の選別プレート４１が用意されている。即ち、上記一致しない位置に存する連通口２９は他の選別プレート４１を取り付けた場合に当該他の選別プレート４１の開口３５と一致するようになっているのである。
【００１９】
可動プレート１１は収容トレイ７及び選別プレート９と同様、透明なプラスチック材料によって形成されている矩形平板状の部材である。そして可動プレート１１には可動プレート１１が投入位置に移動した時、２種類の選別プレート９、４１のそれぞれの開口３５と一致する位置に上記開口３５と同じ大きさの投入口２７が複数個形成されている。
可動プレート１１の右側の端縁には上方に向かって垂直に矩形平板状の対面板４３が立ち上げられている。そして上記可動プレート１１は次に述べるシャッター機構４５を介して前記収容トレイ７に対して左右方向Ｘに対してスライド自在に接続されている。
【００２０】
シャッター機構４５は可動プレート１１と収容トレイ７との間に設けられるスライド機構４７と、上記ストッパ１３及び付勢手段としての圧縮コイルバネ１５とを備えている。またスライド機構４７は収容トレイ７の底面板２５の下面に設けられ、左右方向Ｘに延びている２本のガイドリブ４９、４９と、これら２本のガイドリブ４９、４９の左右の両端部において２本のガイドリブ４９、４９を接続するように設けられる支承部材５１、５１とを備えている。
そして２本のガイドリブ４９、４９によって上記可動プレート１１の前端面と後端面が案内され、上記底面板２５と支承部材５１、５１との間に形成される空間に可動プレート１１が挿入されて、上記支承部材５１、５１の上面によって可動プレート１１の底面の一部（左右２ヶ所）が支承されるようになっている。
【００２１】
ストッパ１３は可動プレート１１の内方（左方向）への移動ストロークを規制する内方ストッパ５７と、可動プレート１１の外方（右方向）への移動ストロークを規制する外方ストッパ５９とを有している。
内方ストッパ５７は収容トレイ７の右側の側板１９における可動プレート１１の取付位置の中央付近に設けられている。そして本実施の形態では先端が外方に突出するように設けられる調整ボルト５３と、該調整ボルト５３を右側の側板１９に固定するための２個の固定ナット５５とを備えることによって内方ストッパ５７は構成されている。
【００２２】
一方、外方ストッパ５９は上記内方ストッパ５７を挟んでその前後に一定の距離を隔てて設けられている。そして本実施の形態では可動プレート１１の右端縁に取り付けられている対面板４３に対して図示しない２つの貫通穴を形成し、これらの貫通穴を左右方向Ｘにスライド自在に貫通する２本のロックボルト６３、６３とこれらのロックボルト６３、６３を収容トレイ７の右側の側板１９に固定するための２つの固定ナット６５、６５と、ロックボルト６３、６３の先端に取り付けられる２つのロックナット６７、６７とを備えることによって外方ストッパ５９は構成されている。
右側の側板１９と対面板４３とによって挟まれた空間に位置するロックボルト６３、６３の軸部には可動プレート１１を外方に突出するように付勢する付勢手段としての２本の圧縮コイルバネ１５、１５が外嵌めされている。
【００２３】
次にこのようにして構成される本発明の肥料投入器１を使用して固形肥料Ａを投入する作業手順について説明する。
最初に図５（ａ）に示す整列状態の育成ポット５に対して３個ずつの固形肥料Ａを投入する場合について説明する。この場合には図６、７に示す選別プレート９を使用するから収容トレイ７の底面板２５の上面に固定ボルト３３を使用して選別プレート９を取り付ける。
【００２４】
続いて収容トレイ７内に固形肥料Ａを所定量入れ、収容トレイ７を持って収容トレイ７を水平方向に回転させたり、幾分傾けたりしてすべての開口３５にそれぞれ１個ずつ固形肥料Ａを行き渡らせ、開口３５に進入しなかった余分の固形肥料Ａを退避スペース３９に移動させておく。
開口３５の下方には底面板２５に形成されている連通口２９の一部が連通しているから、図６（ｂ）に示すように開口３５内に進入した固形肥料Ａは下方の連通口２９にそのまま落下して、更にその下方に位置する可動プレート１１の上面に当接して支承された状態になっている。
【００２５】
次に整列ラック３内に収容されて整列された状態の育成ポット５の上に上記収容トレイ７を載置して、育成ポット５の位置を確認して収容トレイ７の位置合わせを行う。
そして対面板４３の外側面あるいは外側面に取り付けられた取っ手６９に手を宛がい、圧縮コイルバネ１５、１５の付勢力に抗して図７（ａ）に示すように可動プレート１１を内方に向けて押し込むと、対面板４３の内側面が内方ストッパ５７に当接して可動プレート１１は投入位置に到達する。
この状態では開口３５の下方には連通口２９に加えて可動プレート１１の投入口２７が位置し、上下方向に貫通状態が形成されているから、図７（ｂ）に示すように開口３５内に進入した固形肥料Ａは下方に落下して、下方の育成ポット５内に投入される。
また対面板４３から手を離せば圧縮コイルバネ１５、１５の付勢力によって対面板４３及び可動プレート１１は外方に移動し、対面板４３に形成されている図示しない貫通穴の周囲の対面板４３における外側面が外方ストッパ５９先端のロックボルト６３に当接し当初の待機位置に戻り停止する。
【００２６】
次に図５（ｂ）に示す整列状態の育成ポット５に対して２個ずつの固形肥料Ａを投入する場合について説明する。この場合には図８、９に示す他の選別プレート４１を使用するから固定ボルト３３を緩めて底面板２５から選別プレート９を取り外し、他の選別プレート４１に付け替える。
そして選別プレート９を使用した上記の手順と同様の手順で図８に示すように他の選別プレート４１に形成されている開口３５に対してそれぞれ１個ずつ固形肥料Ａを入れ、シャッター機構４５のシャッター動作を実行することによって図９に示すように下方の育成ポット５内にそれぞれ２個ずつの固形肥料Ａを投入する。
【００２７】
以上、本発明を実施するための最良の形態として図示の実施の形態を例に採って詳述してきたが、本発明の具体的構成は図示の実施の形態に限定されるものではなく、本発明の要旨から外れない範囲での設計変更等があっても本発明に含まれる。
例えば、選別プレート９に形成する開口３５の大きさや配置は適宜変更可能であり、図１０に示すように１つの開口３５に一度に複数個の固形肥料Ａを収容できるようにすることも可能である。この場合、上記一度に複数個収容できる大きさの開口３５を育成ポット５毎に１個ずつ配設し、一方、可動プレート１１には上記開口３５と対応する位置に同一の大きさの投入口２７を配設しておくことで、各育成ポット５内に複数個の固形肥料Ａを同時に投入できるように構成することも可能である。
【００２８】
上記実施の形態では、収容トレイ７、選別プレート９、可動プレート１１を透明なプラスチック材料によって形成したが、本発明はこれに限定されず、収容トレイ７、選別プレート９、可動プレート１１の１つ以上をアルミニウム合金、木材等、他の材料によって構成してもよい。
上記実施の形態では、開口３５、連通口２９及び投入口２７の大きさを同じにしたが、本発明はこれに限定されず、開口３５、連通口２９及び投入口２７のうち下位にあるものが上位にあるものより大きいサイズとしてもよい。即ち、開口３５より連通口２９が大きく、連通口２９より投入口２７が大きければ、固形肥料Ａが途中で引っ掛かってしまうのをより確実に防止することができる。
【００２９】
上記実施の形態では２０個または２４個の育成ポット５のすべてに対し、固形肥料Ａを投入できる肥料投入器１を示したが、２０個または２４個の育成ポット５の一部の個数に固形肥料Ａを投入するサイズとしてもよい。即ち、例えば肥料投入器１の半分のサイズの肥料投入器であってもよく、この場合には１０個または１２個の育成ポット５に固形肥料Ａを投入するようにして、２回に分けて作業を行い、２０個または２４個の育成ポット５に固定肥料Ａを投入してもよい。このようにサイズを小型にして、更に前述したアルミニウム合金等を用いることによって、肥料投入器を軽量化することができ、例えば腕力のない女性でも容易に作業を行うことができる肥料投入器を提供することが可能となる。
なお、取っ手６９の取り付け位置、形状、サイズ、個数は適宜変更することが可能である。
【産業上の利用可能性】
【００３０】
本発明は玉状に成形された固形肥料を整列された複数の育成ポット内に一挙に投入することのできる肥料投入器の製造、使用分野等で利用でき、特に上記固形肥料を効率良く正確に少ないコストで育成ポット内に投入したい場合に利用可能性を有する。
【図面の簡単な説明】
【００３１】
【図１】本発明の実施の形態に係る肥料投入器の使用状態を示す斜視図である。
【図２】本発明の実施の形態に係る肥料投入器を示す分解斜視図である。
【図３】本発明の実施の形態に係る肥料投入器を示す平面図である。
【図４】本発明の実施の形態に係る肥料投入器を示す図３中のＡ−Ａ拡大断面図である。
【図５】本発明の実施の形態に係る肥料投入器の適用対象である整列状態とサイズの違う２種類の育成ポットを示す平面図である。
【図６】本発明の実施の形態に係る肥料投入器の右端側の一部を拡大して示すシャッター閉鎖時の平面図（ａ）と、同図中のｂ−ｂ拡大断面図（ｂ）である。
【図７】本発明の実施の形態に係る肥料投入器の右端側の一部を拡大して示すシャッター拡開時の平面図（ａ）と、同図中のｂ−ｂ拡大断面図（ｂ）である。
【図８】本発明の実施の形態に係る肥料投入器において、他の選別プレートに付け替えた状態の右端側の一部を拡大して示すシャッター閉鎖時の平面図（ａ）と、同図中のｂ−ｂ拡大断面図（ｂ）である。
【図９】本発明の実施の形態に係る肥料投入器において、他の選別プレートに付け替えた状態の右端側の一部を拡大して示すシャッター拡開時の平面図（ａ）と、同図中のｂ−ｂ拡大断面図（ｂ）である。
【図１０】本発明の他の実施の形態に係る肥料投入器において、選別プレートに形成される開口の大きさを大きくした実施の形態を示す平面図である。
【符号の説明】
【００３２】
１  肥料投入器                      ３  整列ラック
５  育成ポット                      ７  収容トレイ
９  選別プレート                  １１  可動プレート
１３  ストッパ                      １５  圧縮コイルバネ
１７  側板                          １９  側板
２１  前面板                        ２３  後面板
２５  底面板                        ２７  投入口
２９  連通口                        ３１  ネジ孔
３３  固定ボルト                    ３５  開口
３７  収容スペース                  ３９  退避スペース
４１  他の選別プレート              ４３  対面板
４５  シャッター機構                ４７  スライド機構
４９  ガイドリブ                    ５１  支承部材
５３  調整ボルト                    ５５  固定ナット
５７  内方ストッパ                  ５９  外方ストッパ
６３  ロックボルト                  ６５  固定ナット
６７  ロックナット                  ６９  取っ手
Ａ  固形肥料                        Ｘ  左右方向
【図１】
2008161078.tif 000003
【図２】
2008161078.tif 000004
【図３】
2008161078.tif 000005
【図４】
2008161078.tif 000006
【図５】
2008161078.tif 000007
【図６】
2008161078.tif 000008
【図７】
2008161078.tif 000009
【図８】
2008161078.tif 000010
【図９】
2008161078.tif 000011
【図１０】
2008161078.tif 000012